(57)【要約】【課題】同じ撮像条件を再現する場合、印刷物と撮像画像の対比による確認が必要となる。また、撮像画像と静止画像とを交互に表示して対比する必要がある。【解決手段】撮像部より実時間で入力される撮像画像を水平ライン単位で間引いた第１の間引き画像と、ある時点に撮像された静止画像の間引き画像であって、第１の間引き画像の表示位置に対応する水平ラインを間引いた第２の間引き画像との嵌め込み合成画像を撮影用補助画面として表示デバイスに表示させる。【選択図】図６
2008035289.tif 000002
【特許請求の範囲】
【請求項１】
撮像部より実時間で入力される撮像画像を水平ライン単位で間引いた第１の間引き画像と、ある時点に撮像された静止画像の間引き画像であって、前記第１の間引き画像の表示位置に対応する水平ラインを間引いた第２の間引き画像との嵌め込み合成画像を撮影用補助画面として表示デバイスに表示させる
ことを特徴とする表示制御装置。
【請求項２】
撮影用補助画面の表示操作時、ある時点に撮像された静止画像を記憶媒体から読み出す静止画像読出部と、
撮影用補助画面の表示操作時、撮像部より実時間で入力される撮像画像を水平ライン単位で間引いた第１の間引き画像と、前記静止画像の間引き画像であって、前記第１の間引き画像の表示位置に対応する水平ラインを間引いた第２の間引き画像とを嵌め込み合成して撮影用補助画面を生成する画像合成部と
を有することを特徴とする表示制御装置。
【請求項３】
請求項２に記載の表示制御装置は、
前記記憶媒体から静止画像を読み出す際又は読み出し後に、水平ライン単位の間引き処理を実行する
ことを特徴とする表示制御装置。
【請求項４】
請求項２に記載の表示制御装置において、
前記第２の間引き画像は、前記記憶媒体に静止画像として保存されている
ことを特徴とする表示制御装置。
【請求項５】
記憶領域から読み出した静止画像又はこれを水平ライン単位で間引いた画像がアクティブマトリクス型表示デバイスに表示された状態で、撮像部より実時間で入力される撮像画像の画素データを前記アクティブマトリクス型表示デバイスの画素回路に書き込む際、
特定位置の水平ラインに対する書き込みパルスの供給を継続的に間引くことにより、
前記静止画像又はこれを水平ライン単位で間引いた画像と前記撮像画像との嵌め込み合成画像を撮影用補助画面として表示デバイスに表示させる書き込みパルス供給制御部
を有することを特徴とする表示制御装置。
【請求項６】
表示デバイスと、
撮像部より実時間で入力される撮像画像を水平ライン単位で間引いた第１の間引き画像と、ある時点に撮像された静止画像の間引き画像であって、前記第１の間引き画像の表示位置に対応する水平ラインを間引いた第２の間引き画像との嵌め込み合成画像を撮影用補助画面として表示デバイスに表示させる表示制御装置と
を有することを特徴とする表示装置。
【請求項７】
撮像部と、
前記撮像部より実時間で入力される撮像画像を水平ライン単位で間引いた第１の間引き画像と、ある時点に撮像された静止画像の間引き画像であって、前記第１の間引き画像の表示位置に対応する水平ラインを間引いた第２の間引き画像との嵌め込み合成画像を撮影用補助画面として表示デバイスに表示させる表示制御装置と
を有することを特徴とする撮像装置。
【請求項８】
撮像部より実時間で入力される撮像画像を水平ライン単位で間引いた第１の間引き画像と、ある時点に撮像された静止画像の間引き画像であって、前記第１の間引き画像の表示位置に対応する水平ラインを間引いた第２の間引き画像との嵌め込み合成画像を撮影用補助画面として表示デバイスに表示させる表示制御装置
を有することを特徴とする電子機器。
【請求項９】
撮像部より実時間で入力される撮像画像を水平ライン単位で間引いた第１の間引き画像と、ある時点に撮像された静止画像の間引き画像であって、前記第１の間引き画像の表示位置に対応する水平ラインを間引いた第２の間引き画像との嵌め込み合成画像を撮影用補助画面として表示デバイスに表示させる処理を実行させる処理
を有することを特徴とする表示制御方法。
【請求項１０】
コンピュータに、
撮像部より実時間で入力される撮像画像を水平ライン単位で間引いた第１の間引き画像と、ある時点に撮像された静止画像の間引き画像であって、前記第１の間引き画像の表示位置に対応する水平ラインを間引いた第２の間引き画像との嵌め込み合成画像を撮影用補助画面として表示デバイスに表示させる処理を実行させる
ことを特徴とするコンピュータプログラム。
【発明の詳細な説明】
【技術分野】
【０００１】
この明細書で説明する発明は、ある時点に撮像された静止画像と同じ撮像条件（例えば撮像方向、画角等）の再現を補助する技術に関する。
なお、発明者らが提案する発明は、表示制御装置、表示装置、撮像装置、電子機器、表示制御方法及びコンピュータプログラムとしての側面を有する。
【背景技術】
【０００２】
現在、撮像画像の多くがディジタルデータ形式により扱われている。撮像画像のディジタル化により撮像された画像の確認も即座に行うことができる。このため、撮像装置のディジタル化が急速に進んでいる。
【０００３】
ところで、様々な理由で以前の撮像条件と同じ撮像条件で被写体を撮像したいことがある。このような要求は、同時刻で同じ被写体を取り直す場合だけでなく、後日同じ被写体を取り直す場合にも起こり得る。
【０００４】
一般に、同じ被写体を取り直す場合には、以前に撮影された被写体像の印刷物を確認しながら取り直し時の撮像方向や画角等を調整したり、以前に撮影された被写体像と現在の被写体像をモニター上に交互に表示することにより撮像方向や画角等を調整する。
【特許文献１】特開２００６−７４３２１号公報
【発明の開示】
【発明が解決しようとする課題】
【０００５】
ところが、前者の方法では印刷物を取り直しに備えて常に持ち運ぶ必要がある。また、後者の場合、実時間で入力される撮像画像と静止画像とを交互に表示させる操作が必要であり、調整作業が長くなる。
また、いずれの方法も、撮影条件の一致度合いが低い問題がある。
【課題を解決するための手段】
【０００６】
そこで発明者らは、課題を解決する手段の一つとして、撮像部より実時間で入力される撮像画像を水平ライン単位で間引いた第１の間引き画像と、ある時点に撮像された静止画像の間引き画像であって、第１の間引き画像の表示位置に対応する水平ラインを間引いた第２の間引き画像との嵌め込み合成画像を撮影用補助画面として表示デバイスに表示させる技術手法を提案する。
【０００７】
また、発明者らは、課題を解決する手段の他の一つとして、撮影用補助画面の表示操作時、ある時点に撮像された静止画像を記憶媒体から読み出す処理と、撮影用補助画面の表示操作時、撮像部より実時間で入力される撮像画像を水平ライン単位で間引いた第１の間引き画像と、静止画像の間引き画像であって、第１の間引き画像の表示位置に対応する水平ラインを間引いた第２の間引き画像とを嵌め込み合成して撮影用補助画面を生成する処理とを実行する技術手法を提案する。
【０００８】
また、発明者らは、課題を解決する手段の他の一つとして、記憶領域から読み出した静止画像又はこれを水平ライン単位で間引いた画像がアクティブマトリクス型表示デバイスに表示された状態で、撮像部より実時間で入力される撮像画像の画素データをアクティブマトリクス型表示デバイスの画素回路に書き込む際、特定位置の水平ラインに対する書き込みパルスの供給を継続的に間引くことにより、静止画像又はこれを水平ライン単位で間引いた画像と撮像画像との嵌め込み合成画像を撮影用補助画面として表示デバイスに表示させる技術手法を提案する。
【発明の効果】
【０００９】
発明者らの提案する技術手法の採用により、同じ被写体を取り直す際に、ある時点に撮像された静止画像と撮像部より実時間で入力される撮像画像とを水平ライン単位で嵌め合わせ合成した画像（撮影用補助画面）を表示デバイスに表示させることができる。
【００１０】
この撮影用補助画面において撮像画像と静止画像の境界部分が一致すれば、現在の撮像条件が静止画像を撮像した時点での撮像条件と一致したことが分かる。この撮影用補助画面を用いることで、従来に比して確実にかつ短時間に取り直し時の撮像条件を以前の撮像条件に一致させることができる。
【発明を実施するための最良の形態】
【００１１】
以下、発明に係る表示制御技術を説明する。
なお、本明細書で特に図示又は記載されない部分には、当該技術分野の周知又は公知技術を適用する。
また以下に説明する形態例は、発明の一つの形態例であって、これらに限定されるものではない。
【００１２】
（Ａ）形態例１
この形態例では、発明者らの提案する表示制御機能をディジタルカメラに搭載する場合について説明する。
【００１３】
（Ａ−１）外観構成
図１に、ディジタルカメラ１の外観構成例を示す。ディジタルカメラ１は、矩形形状の本体ケース３の表面にモニター５、撮影ボタン７、ビューファインダ９及び操作ボタン１１を配置する。
【００１４】
この形態例では、モニター５に有機ＥＬディスプレイ装置を使用する。この有機ＥＬディスプレイ装置は、アクティブマトリクス型の表示デバイスであるものとする。ここで、アクティブマトリクス型の表示デバイスとは、全ての画素にスイッチ素子（アクティブ素子）を配置し、各画素の点灯と消灯を個別に制御する方式の表示デバイスであって、各画素回路に記憶素子を配置する表示デバイスをいう。
【００１５】
撮影ボタン７は、静止画像や撮像画像の撮像を指示する操作子である。通常、押しボタン式の操作子が用いられる。
ビューファインダ９は、被写体を覗くための小窓である。なお、ビューファインダ９を搭載しない構成も可能である。
【００１６】
操作ボタン１１は、撮影モード、ホワイトバランス、露出等の撮像条件（記録条件）、再生条件その他の条件を入力するための操作子である。これら操作ボタン１１には、既存の操作子を使用する。
【００１７】
（Ａ−２）システム構成例
図２に、ディジタルカメラ１のシステム構成例を示す。
このディジタルカメラ１は、システム制御部２１、撮像部２３、記憶媒体２５、電源２７、表示デバイス２９及び操作部３１で構成される。
【００１８】
システム制御部２１は、画像処理、制御処理その他の処理を実行する処理デバイスである。この形態例の場合、システム制御部２１は、コンピュータシステムで構成される。
撮像部２１は、被写体の撮像に使用される光学レンズ系及び撮像素子で構成される。撮像素子には、例えばＣＭＯＳセンサーを使用する。
【００１９】
記憶媒体２５は、画像データ（静止画像及び撮像画像を含む。）を格納する記憶デバイスである。ここでの記憶媒体２５は、内蔵メモリだけでなく外部メモリも含む。
電源２７は、例えばリチウムイオンバッテリーで構成される。
【００２０】
表示デバイス２９は、モニター５（図１）を想定する。なお、ビューファインダ９が電子ビューファインダの場合には、表示デバイス２９はビューファインダ９も含む。
操作部３１は、前述した撮影ボタン７（図１）や操作ボタン１１（図１）に対応する。
【００２１】
（Ａ−３）機能構成例
図３に、ディジタルカメラ１の機能構成例を示す。なお、図３には図２との対応部分に同一符号を付して示す。
機能面から観たディジタルカメラ１は、撮像部２３、表示制御装置４１及び表示デバイス２９で構成される。
【００２２】
表示制御装置４１は、システム制御部２１で実行されるプログラムの１つとして実現される。なお、図３に示す表示制御装置４１の内部構成は、撮影用補助画面の表示に関する機能を実現する観点から表している。
【００２３】
図３に示す表示制御装置４１は、ノンインターレース変換部４３、フレームメモリ４５、静止画読出部４７及び画像合成部４９で構成される。
ノンインターレース変換部４３は、撮像部２３から実時間で入力されるインタレース画像をノンインターレース画像（プログレッシブ画像）に変換する処理デバイスである。
【００２４】
なお、撮像部２３が常にノンインターレース画像を出力する場合、このノンインターレース変換部４３は不要となる。
フレームメモリ４５は、表示用に入力される画像データを逐次記憶する記憶領域である。この形態例では内蔵メモリを想定する。
【００２５】
静止画読出部４７は、フレームメモリ４５に対する映像信号の保存及び読み出しを制御する処理デバイスである。なお、静止画読出部４７は、ノンインターレース変換部４３からタイミング信号を入力する。また、静止画読出部４７は、操作部３１に対する撮影用補助画面の表示操作を検出する。なお、撮影用補助画面の表示操作は、撮影用補助画面表示信号として静止画読出部４７に入力される。
【００２６】
静止画読出部４７は、撮影用補助画面の表示操作を検出すると、フレームメモリ４５に対して映像信号の書き込みを停止する信号（書き込み停止信号）を出力する。この書き込み停止信号により、フレームメモリ４５は、ある時点の映像信号（フレーム画像）だけを保持し続ける状態になる。
【００２７】
また、静止画読出部４７は、読み出し信号をフレームメモリ４５に出力し、保存された映像信号を読み出す。静止画読出部４７は、予め設定された水平ラインの画像情報だけを読み出すように制御信号を出力する。なお、画像データの読み出し単位は、水平ライン痰である。
【００２８】
この結果、水平ライン単位で間引き処理された静止画像がフレームメモリ４５から読み出され、合成用静止画像として画像合成部４９に出力される。なお、画像の間引き処理は、静止画読出部４７内で実行しても良い。すなわち、１フレーム分の画像情報をフレームメモリ４５から読み出してから合成用静止画像を生成しても良い。
【００２９】
また、静止画読出部４７は、実時間で入力される映像信号と合成用静止画像との合成処理を制御する合成制御信号を発生し、画像合成部４９に供給する。
この形態例の場合、撮影用補助画面の表示操作時以外の期間において、静止画読出部４７は、合成制御信号「０」を全ての水平ラインについて出力する。
【００３０】
一方、撮影用補助画面の表示操作時において、静止画読出部４７は、合成用静止画像に対応する水平ライン以外について合成制御信号「０」を出力し、合成用静止画像に対応する水平ラインについて合成制御信号「１」を出力する。
【００３１】
画像合成部４９は、合成制御信号に基づいて撮像部２３より実時間で入力される映像信号（撮像画像）と合成用静止画像のいずれか一方を水平ライン単位で選択し、表示デバイス２９に供給する。
【００３２】
例えば通常動作時（撮影用補助画面の表示操作時以外の動作時）、画像合成部４９は、撮像部２３から入力される映像信号をそのまま表示デバイス２９に供給する。
【００３３】
一方、撮影用補助画面の表示操作時、画像合成部４９は、合成制御信号が「０」の水平ラインでは撮像部２３より実時間で入力される映像信号（撮像画像）を選択し、合成制御信号が「１」の水平ラインでは合成用静止画像を選択する。
【００３４】
（Ａ−４）表示制御動作及び効果
以下では、図３に示す表示制御機能を搭載するディジタルカメラ１による撮影用補助画面の表示動作を説明する。
【００３５】
図４（Ａ）に、フレームメモリ４５に保存する静止画像例を示す。なお通常時には、図４（Ｂ）に示すように、任意の被写体像（この場合は人物像）が撮像部２３より実時間で入力される。通常動作時には、撮像部２３から実時間で入力される映像信号（撮像画像）が表示デバイス２９に表示される。
【００３６】
ところで、ディジタルカメラ１による撮影時には、既に撮像した画像をその場で再生し、構図や撮影結果を画面上で確認することが可能である。このため、以前の撮像条件と同じ撮像条件（同じ撮影方向、かつ同じ画角）で被写体像を撮像したい場合が考えられる。
【００３７】
このような場合に好適であるのが発明者らの提案する撮影用補助画面の表示機能である。
この形態例の場合、撮影者が撮影用補助画面の表示を指示入力すると、静止画読出部４７において、フレームメモリ４５に保存した静止画像を間引き処理した合成用静止画像が生成される。
【００３８】
図５に、合成用静止画像の一例を示す。この形態例の場合、画面中央付近に帯状の静止画像領域を２つ有する合成用静止画像が現れる。勿論、個々の静止画像領域は、フレームメモリ４５に保存されている静止画像のうち対応する画像情報で構成される。
【００３９】
図５は、個々の静止画像領域が複数行分の水平ラインで構成される場合の例である。各静止画像領域の幅を広くすることで上辺と下辺の２カ所において境界部分での画像の連続性を確認することが可能になる。なお、図５は静止画像領域が２つのであるので計４つの境界部分で静止画像と実時間で撮影される画像との一致不一致を確認することが可能になる。
【００４０】
図６に、表示デバイス２９に表示される撮影用補助画面（撮像画像と合成用静止画像との合成画像）例を示す。図６の場合、撮像部２３の撮像方向と画角が静止画像の撮影時と異なるため、静止画像領域と撮像画像領域との境界部分で画像の連続性が確認されていない。
【００４１】
図７は、撮像部２３の撮像方向と画角が静止画像の撮影時と一致した場合である。図７に示すように、静止画像領域と撮像画像領域との境界部分で画像の連続性が確認される。
従って、このタイミングで録画（静止画像としての記録だけでなく、動画像としての記録も含む。）を開始すれば、静止画像の撮像条件と全く同じ撮像条件にて新たな撮影を行うことが可能となる。
【００４２】
このように、発明者らの提案する撮影用補助画面の表示技術を用いれば、何度でも同じ撮像条件で任意の被写体を撮影することが可能になる。
しかも、同じ画像が得られることの確認は、表示画面を構成する２つの画像領域の境界部分における画像の連続性として確認できる。
【００４３】
すなわち、撮像条件の一致を客観性を高めることができる。
また、発明者らの提案する撮影用補助画面では、２つの画像領域の境界部分において撮像条件の一致不一致を確認できるため、従来手法に比べて作業時間を大幅に短縮できる。
また、撮像条件の一致を撮影開始前に確認できる点でも従来技術に比して有利である。
【００４４】
（Ｂ）形態例２
ここでも、ディジタルカメラを例に発明者らの提案する表示制御機能を説明する。なお、外観構成やシステム構成は、形態例１と同じものを使用する。
【００４５】
（Ｂ−１）機能構成例
図８に、ディジタルカメラ５１の機能構成例を示す。なお、図８には図３との対応部分に同一符号を付して示す。
機能面から観たディジタルカメラ５１は、撮像部２３、表示制御装置５３、表示デバイス５５で構成される。
【００４６】
（ａ）表示制御装置の構成
この形態例の場合も、表示制御装置５３は、システム制御部２１で実行されるプログラムの１つとして実現される。なお、図８に示す表示制御装置５３の内部構成も、撮影用補助画面の生成に関する機能を実現する観点から表している。
【００４７】
図８に示す表示制御装置５３は、ノンインターレース変換部４３及び駆動パルス供給制御部５７で構成される。
このうち、駆動パルス供給制御部５７は、駆動タイミングパルスと書き込み制御信号を生成し、表示デバイス５５に供給する処理デバイスである。この駆動パルス供給制御部５７が、特許請求の範囲における「書き込みパルス供給制御部」に当たる。
【００４８】
ここでの駆動タイミングパルスは、表示デバイス５５で採用する書き込み走査方式に応じた書き込みパルスの生成用である。この駆動タイミングパルスの生成には、映像信号（撮像画像）の水平同期パルス及び垂直同期パルスが用いられる。
一方、書き込み制御信号は、表示デバイス５５を構成する各画素に対する書き込みパルスの供給と停止を水平ライン単位で制御する信号である。
【００４９】
この形態例の場合、駆動パルス供給制御部５７は、撮影用補助画面の表示操作を検出すると、書き込みパルスの供給を水平ライン単位で間引くように書き込み制御信号を出力する。なお、書き込みパルスの間引き位置は固定である。この結果、既に画面上に表示されている静止画像のうち特定位置の水平ラインに対応する画像情報の書き換えが禁止される。
【００５０】
勿論、書き込みパルスが供給される水平ラインには、撮像部２３から実時間に供給される映像信号（撮像画像）が書き込まれる。この結果、表示デバイス５５の画面上において、書き換えが禁止される合成用静止画像と実時間で書き換えられる撮像画像とを合成した撮影用補助画面が発生される。
【００５１】
（ｂ）表示デバイスの構成
この形態例における表示デバイス５５は、水平ライン単位で書き込みパルスの供給と停止を制御できるアクティブマトリクス型表示デバイスである。
【００５２】
図９に、表示デバイス５５の機能構成例を示す。表示デバイス５５は、タイミング制御部６１、データ線ドライバ６３、ゲート線ドライバ６５、論理積回路６７及び有機ＥＬディスプレイパネル６９で構成される。
【００５３】
タイミング制御部６１は、駆動パルス供給制御部５７から供給される駆動タイミングパルスに基づいて画面表示に必要な各種のタイミング信号を発生する処理デバイスである。例えば画素データを書き込む水平ラインを選択する書き込みパルス等を発生する。
【００５４】
データ線ドライバ６３は、有機ＥＬディスプレイパネル６９のデータ線を駆動する回路デバイスである。
この形態例の場合、データ線ドライバ６３は、各画素の発光輝度を指定する階調値をディジタル値としてデータ線に供給する。
【００５５】
ゲート線ドライバ６５は、階調値を書き込む水平ラインの選択用に設けられたゲート線を線順次に選択する回路デバイスである。水平ラインの選択には、前述した書き込みパルスが用いられる。なお、ゲート線ドライバ６５は、水平ライン別に書き込みパルスを出力する。
【００５６】
論理積回路６７は、書き込みパルスと書き込み制御信号の論理積波形を書き込みパルスとして有機ＥＬディスプレイパネル６９に供給する回路である。論理積回路６７は、図１０に示すように、１つの水平ラインに対して１つずつ配置される。
【００５７】
有機ＥＬディスプレイパネル６９は、有機ＥＬ素子がマトリクス状に配置された表示デバイスである。なお、有機ＥＬディスプレイパネル６９はカラー表示用である。従って、表示上の１画素（ピクセル）は、ＲＧＢの三色に対応する画素（サブピクセル）で構成される。
【００５８】
図１１に、データ線とゲート線との交点位置に形成される画素回路７１と周辺回路との接続関係を示す。
画素回路７１は、データスイッチ素子Ｔ１、記憶素子Ｍ１、ディジタルアナログ変換回路Ｄ／Ａ、電流供給素子Ｔ２及び有機ＥＬ素子Ｄ１で構成される。
【００５９】
ここで、データスイッチ素子Ｔ１は、データ線を通じて与えられるディジタル値の取り込み（書き込み）を制御するトランジスタである。ディジタル値の取り込みタイミングは、水平ライン単位で与えられる。具体的には、対応する論理積回路６７を通じて与えられる。
【００６０】
記憶素子Ｍ１は、取り込んだディジタル値を記憶する記憶素子である。この形態例では、記憶素子Ｍ１に半導体メモリを適用する。記憶素子Ｍ１を画素回路７１に搭載することにより、データの書き込みが線順次走査の場合でも、面順次走査と同様の発光態様が実現される。
【００６１】
ディジタルアナログ変換回路Ｄ／Ａは、ディジタル値として与えられる階調情報に応じたアナログ電圧を発生する回路デバイスである。
電流供給素子Ｔ２は、記憶素子Ｍ１に保存されるデジタル値に応じた大きさの駆動電流Ｉｄを有機ＥＬ素子Ｄ１に供給するトランジスタである。
【００６２】
この駆動電流Ｉｄの大きさに応じた明るさで有機ＥＬ素子Ｄ１が点灯する。
なお、記憶素子Ｍ１と電流供給素子Ｔ２に対する電源電圧は、電源電圧源７３より共通に供給される。
【００６３】
（Ｂ−２）表示制御動作及び効果
以下では、図８に示す表示制御機能を搭載するディジタルカメラ５１による撮影用補助画面の表示動作を説明する。
この説明では、表示デバイス５５を構成する特定位置の画素回路７１に合成用静止画像を保存する（すなわち、画素データの書き換えを継続的に停止する）場合について説明する。
【００６４】
図１２に、この形態例における制御動作を概念的に示す。
撮影者が撮影用補助画面の表示を指示すると、次のフレーム画像の入力タイミングから事前に設定された特定位置の水平ラインに対してのみ書き換えパルスの供給が停止される。図１２の場合、画面中央付近に一定幅の書き換えパルス供給停止領域が２つ形成される。この領域が、静止画像領域となる。
【００６５】
この形態例の場合、記憶素子Ｍ１を半導体メモリで構成される。このため、書き込みパルスが供給されるまでの間、記憶素子Ｍ１に保持されている現在の画素データ（デジタル値）が継続的に保持される。結果的に、継続的に同じ大きさのアナログ電圧値が電流供給素子Ｔ２に与えられる。
【００６６】
この結果、前述した形態例１の場合と同様、表示デバイス５５の画面上には実時間で入力される映像信号（撮像画像）と基準撮像条件を与える静止画像とが水平ライン単位で混在した表示画面が現れる。
【００６７】
従って、撮影者は動画像と静止画像の境界画像が一致するように、撮像方向や画角を調整することで静止画像として保存した場合と全く同じ撮像条件にて新たな撮影を行うことが可能となる。
【００６８】
このように、発明者らの提案する表示技術を用いれば、何度でも同じ撮像条件で画像を撮影することが可能になる。
しかも、同じ画像が得られることの確認は、表示画面を構成する２つの画像領域の境界部分における画像の連続性として確認できる。
【００６９】
すなわち、撮像条件の一致を客観性を高めることができる。
また、発明者らの提案する撮影用補助画面では、２つの画像領域の境界部分において撮像条件の一致不一致を確認できるため、従来手法に比べて作業時間を大幅に短縮できる。
また、撮像条件の一致を撮影開始前に確認できる点でも従来技術に比して有利である。
【００７０】
（Ｃ）形態例３
ここでも、ディジタルカメラを例に発明者らの提案する表示制御機能を説明する。なお、外観構成やシステム構成は、形態例１と同じであるものとする。
【００７１】
ただし、各画素に対応する画素回路７１の記憶素子には、図１３に示す画素回路７１にようにキャパシタＣ１を使用するものとする。なお、図１３には、図１１との対応部分に同一符号を付して表している。因みに、記憶素子がキャパシタであるので、データ線ドライバ６３は、アナログ電圧値をデータ線に印加する。
【００７２】
図１４に、この形態例に対応するディジタルカメラ８１の機能構成例を示す。なお、図１４には図３（形態例１）及び図８（形態例２）との対応部分に同一符号を付して表している。
【００７３】
図１４に示すように、この形態例に係るディジタルカメラ８１は、形態例１と形態例２の組み合わせ構成を有している。
【００７４】
従って、この形態例における表示制御装置８３は、ノンインターレース変換部４３、フレームメモリ４５、静止画読出部４７、画像合成部４９及び駆動パルス供給制御部５７で構成される。これらの処理デバイスは、基本的に形態例１及び２で説明した場合と同じ処理機能を実行する。
【００７５】
ただし、この形態例の場合、撮影用補助画面の表示開始後における画像合成部４９の動作内容が形態例１及び２と異なる。
すなわち、画像合成部４９は、撮影用補助画面の表示開始後、撮像部２３から実時間で入力される映像信号（撮像画像）と静止画読出部４７から与えられる合成用静止画像との合成処理を間欠的に実行する。
【００７６】
合成処理が中断している間における画像合成部４７の処理は、撮影用補助画面の表示開始前と同じである。すなわち、撮像部２３から実時間で入力される映像信号（撮像画像）のみが表示デバイス５５に出力される。
このような間欠動作を採用するのは、部分的な書き換え停止に伴う消費電力の削減効果と、キャパシタＣ１に保存される記憶情報をリフレッシュするためである。
【００７７】
キャパシタＣ１に保存された記憶情報は、新たな画素データの書き換えを停止している間もリーク電流の影響で徐々に劣化する。この劣化を放置すると、画素データの書き換えを停止した静止画像領域の輝度低下や階調低下としてやがて知覚される。
【００７８】
このため、撮影用補助画面の表示開始後も、キャパシタＣ１の記憶情報をリフレッシュするタイミングでのみ画像の合成処理を実行する。勿論、このリフレッシュタイミングでは、静止画像領域についての書き込み停止が解除され、画面全体に書き込みパルスが供給される。すなわち、事前に保存しておいた静止画像の画質を良好な状態に保つことができる。
【００７９】
以上の通り、この形態例で説明する表示技術を用いれば、画素回路７１の記憶素子としてキャパシタＣ１を用いる場合にも、実時間で入力される映像信号（撮像画像）と保存しておいた静止画像とを良好な画質のまま画面上に表示し続けることができる。
【００８０】
また、この形態例の場合、形態例１の場合に比べ、静止画像の表示領域部分での画素データの書き換え回数を低減することができる。結果的に、撮影用補助画面の表示時に消費される電力を低減することができる。
【００８１】
（Ｄ）他の形態例
（Ｄ−１）電子機器
前述した形態の場合、撮像部（撮像デバイス）と、表示制御装置（制御デバイス）と、表示デバイスを一体的に搭載するディジタルカメラについて説明した。
しかし、これら３つのデバイスは、全て１つの電子機器に搭載しなくても良い。
【００８２】
例えば図１５に示すように、表示装置９１に撮像カメラ１０１を外部接続するシステム構成とし、表示デバイス９３と表示制御装置９５は表示装置９１内に搭載することもできる。
【００８３】
また例えば図１６に示すように、撮像カメラ１１１に表示装置１２１を外部接続するシステム構成とし、撮像部１１３と表示制御装置１１５は撮像カメラ１２１内に搭載することもできる。
【００８４】
また例えば図１７に示すように、撮像カメラ１３１、画像処理装置１４１、表示装置１５１をそれぞれ外部接続するシステム構成とし、表示制御装置１４５は画像処理装置１４１に搭載することもできる。なお、画像処理装置１４１には、画像処理部１４３も搭載される。画像処理部１４３は、既知の処理デバイスを使用する。
【００８５】
なお、撮影用補助画面の表示機能を実現する表示制御装置は、その他の電子機器にも搭載することができる。例えばビデオカメラ、カメラ付き携帯電話機、カメラ付き情報端末等に搭載することができる。
【００８６】
（Ｄ−２）実装回路
前述の形態例においては、撮影用補助画面の表示機能がシステム制御部２１の一機能として実現される場合について説明した。すなわち、ソフトウェア的に実現する場合について説明した。
【００８７】
しかし、当該機能をハードウェア的に実現することもできる。なお、表示制御装置は小規模回路にて実現できる。このため、表示デバイスに搭載するタイミング制御部の一部回路として実装することも可能である。この場合、表示デバイスの回路構成の変更を伴わずに済み、基板配置等の設計変更を最小限に留めることができる。
【００８８】
（Ｄ−３）フレームメモリ
前述した形態例１及び３においては、１フレーム分の画像全体をフレームメモリ４５に保存する場合について説明した。
【００８９】
しかし、撮影用補助画面で使用する部分の画像のみをフレームメモリに保存しても良い。この場合、フレームメモリの記憶容量を削減できる。
【００９０】
（Ｄ−４）静止画像
前述した形態例の場合、撮影用補助画面の表示に使用される静止画像は、実時間に入力される撮像画像より取り込む場合について説明した。
【００９１】
しかし、静止画像は、内蔵又は外付けの記憶媒体から再生される静止画像でも良い。この場合、対応する記憶媒体から再生された静止画像がフレームメモリ４５や表示デバイス２９、５５に供給される。勿論、撮影用補助画面の表示に使用する静止画像は、撮影者がＧＵＩ等を通じて指定する。
【００９２】
（Ｄ−５）撮影用補助画面
前述した形態例の場合、撮影用補助画面の中央付近に帯状の静止画像領域を２つ配置する場合について説明した。
しかし、静止画像領域の数、配置位置及び表示幅をいずれも任意である。例えば１又は数ライン飛ばしに静止画像領域を配置しても良い。
【００９３】
すなわち、撮像画像領域と静止画像領域を１ライン又は数ライン単位で交互に配置しても良い。
一般に、撮像画像領域と動画像領域の境界位置が増えれば、その分だけ画像の連続又は不連続の確認が容易になる。
【００９４】
また、撮像画像領域と静止画像領域の境界位置を画面内に均等に配置すれば、画面内に出現する画面境界のうち撮影者の判断により確認の容易な画像境界を選択することが可能になる。
【００９５】
（Ｄ−６）表示デバイス
前述した形態例では、表示デバイスが有機ＥＬディスプレイパネルである場合について説明した。
しかし、この表示制御技術は、自発光表示装置であるか非自発光表示装置であるかを問わず適用できる。例えば液晶ディスプレイ装置、無機ＥＬディスプレイパネル、ＦＥＤディスプレイパネル、ＰＤＰディスプレイパネルその他にも適用できる。
【００９６】
また、形態例１の場合には、アクティブマトリクス型の表示デバイスだけでなく、パッシブマトリクス方式の表示デバイスにも適用できる。
また、形態例２及び３では、アクティブマトリクス型の表示デバイスを前提に説明したが、強誘電性液晶を液晶材料に用いる表示デバイスの場合には、パッシブマトリクス方式の表示デバイスにも適用できる。
【００９７】
強誘電性液晶を液晶材料に用いる場合、画素回路内に記憶素子Ｍ１やキャパシタＣ１を別途用意する必要がないためである。勿論、駆動方式としてアクティブマトリクス方式を採用することも可能である。
また、前述の形態例の場合、表示デバイスは非投影型の表示デバイスについて説明した。しかし、発明者らの提案する発明は、投影型の表示デバイスにも適用できる。
【００９８】
（Ｄ−７）撮影用補助画面の表示制御機能
前述の形態例における表示制御装置の処理機能は、基本的にソフトウェアとして実現する場合について説明した。
しかし、処理機能の全てをハードウェアとして実現することも可能であるし、ハードウェアとソフトウェアの機能分担により実現することもできる。
【００９９】
（Ｄ−８）撮影用補助画面
前述した形態例１及び３の場合、撮影用補助画面の合成に際し、間引き処理した映像信号（撮像画像）とこれとは異なる水平ラインが間引き処理された静止画像とを合成する場合について説明した。
【０１００】
しかし、間引き処理は、実時間で入力される映像信号（撮像画像）と撮影条件の合わせ込み対象である静止画像のいずれか一方についてのみ生成し、間引き処理により残存する画像部分だけを生成された間引き画像で他方の画像上に上書き記録しても良い。
【０１０１】
この場合、間引き処理により生成された画像位置（画像が残存する部分）だけが他方の画像と置換され、間引き処理の際に間引かれた位置では他方の画像がそのまま使用される。このようにしても、前述した形態例と同じ画面構成の撮影用補助画面を表示できる。
【０１０２】
（Ｄ−９）画像合成部
前述した形態例１及び３の場合、静止画読出部４７は水平ライン単位で静止画像領域か否かを与える合成制御信号を出力する場合について説明した。
しかし、合成制御信号は、撮影用補助画面の表示期間か否かを与える信号でも良い。
【０１０３】
この場合、画像合成部は、合成制御信号が通常動作中を意味するとき、撮像部２３から実時間で入力される映像信号（撮像画像）をそのまま表示デバイスに出力し、合成制御信号が撮影用補助画面の表示期間を意味するとき、予め定めた位置に合成用静止画像を嵌め込み合成した画像を生成する仕組みを採用すれば良い。このようにしても、前述した形態例と同じ画面構成の撮影用補助画面を表示できる。
【０１０４】
（Ｄ−１０）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１０５】
【図１】ディジタルカメラの外観構成例を示す図である。
【図２】ディジタルカメラのシステム構成例を示す図である。
【図３】ディジタルカメラの機能構成例を示す図である。
【図４】静止画像と撮影画像の例を示す図である。
【図５】合成用静止画像例を示す図である。
【図６】撮影用補助画面の表示例を示す図である。
【図７】撮像条件の調整完了時における撮影用補助画面の表示例を示す図である。
【図８】ディジタルカメラの他の機能構成例を示す図である。
【図９】表示デバイスの機能構成例を示す図である。
【図１０】論理積回路とゲート線（水平ライン）との関係を説明する図である。
【図１１】画素回路と周辺回路の接続関係を説明する図である。
【図１２】書き換えパルスの供給領域と供給停止領域の関係を示す図である。
【図１３】画素回路の他の構成例を説明する図である。
【図１４】ディジタルカメラの他の機能構成例を示す図である。
【図１５】表示制御装置の電子機器への搭載例を説明する図である。
【図１６】表示制御装置の電子機器への搭載例を説明する図である。
【符号の説明】
【０１０６】
１        ディジタルカメラ
４１      表示制御装置
４７      静止画読出部
４９      画像合成部
５１      ディジタルカメラ
５３      表示制御装置
５７      駆動パルス供給制御部
７１      画素回路
８１      ディジタルカメラ
８３      表示制御装置
【図１】
2008035289.tif 000003
【図２】
2008035289.tif 000004
【図３】
2008035289.tif 000005
【図４】
2008035289.tif 000006
【図５】
2008035289.tif 000007
【図６】
2008035289.tif 000008
【図７】
2008035289.tif 000009
【図８】
2008035289.tif 000010
【図９】
2008035289.tif 000011
【図１０】
2008035289.tif 000012
【図１１】
2008035289.tif 000013
【図１２】
2008035289.tif 000014
【図１３】
2008035289.tif 000015
【図１４】
2008035289.tif 000016
【図１５】
2008035289.tif 000017
【図１６】
2008035289.tif 000018